(57)【要約】【課題】プラスチックフィルムハウスの屋根の天窓を覆蓋するシートを開閉して天窓を開閉する天窓開閉装置及びそのシートアッセンブリであって、該シート上に水が溜まりにくい天窓開閉装置及びそのシートアッセンブリを提供する。【解決手段】天窓６を覆うシート１２は、上辺が天窓６の高位側に固定され、下辺がネット１６を介して巻芯１４に連結されている。シート１２が天窓６を覆った状態においてシート１２上を雨水等の水が流れる場合、この水は、シート１２の下辺側において巻芯１４に堰き止められることなく、ネット１６の網目を通ってシート１２の下側へ流れ落ちる。【選択図】図１
2006061018.tif 000002
【特許請求の範囲】
【請求項１】
プラスチックフィルムハウスの屋根に設けられた天窓を覆蓋するシートと、該シートを巻き取るための巻芯とを有するシートアッセンブリにおいて、
該シートと巻芯との接続部付近にシート上の水をシート下側に流し落すための通水部を設けたことを特徴とするシートアッセンブリ。
【請求項２】
請求項１において、該巻芯とシートとはネット又は紐状体を介して連結されていることを特徴とするシートアッセンブリ。
【請求項３】
請求項１において、該シートの該巻芯との接続部付近に水抜き用開口が設けられていることを特徴とするシートアッセンブリ。
【請求項４】
プラスチックフィルムハウスの下り勾配の屋根に設けられた天窓を開閉するための天窓開閉装置であって、
該天窓開閉装置は、一側辺が該天窓の高位側に固定され、該天窓の低位側まで拡開する大きさを有しているシートと、該シートを該低位側から巻き取るための巻芯とを有するシートアッセンブリを備えてなる天窓開閉装置において、
該シートアッセンブリは、請求項１ないし３のいずれか１項に記載のシートアッセンブリであることを特徴とするプラスチックフィルムハウスの天窓開閉装置。
【発明の詳細な説明】
【技術分野】
【０００１】
本発明は、ビニルハウスなどのプラスチックフィルムハウスの屋根の天窓を覆蓋するシートを開閉して天窓を開閉する天窓開閉装置及びそのシートアッセンブリに関する。
【背景技術】
【０００２】
農業用、園芸用等の温室として用いられるビニルハウス等のプラスチックフィルムハウスにあっては、屋根に天窓を設け、この天窓を開閉させることにより該プラスチックフィルムハウス内の温度調節や換気を行うことがある。
【０００３】
特開平８−１７２９３３号公報には、このビニルハウスの天窓の開閉装置の一例が記載されている。同号公報においては、屋根は略切妻屋根状であり、その頂陵状の天頂部から両側に向って下り勾配となっている。この屋根の天頂部よりも一半側に、天頂部付近から屋根の下端付近にまで延在する天窓が設けられている。
【０００４】
この天窓を覆うようにビニル樹脂製のシートが設けられている。このシートは、一端辺（上端辺）が天窓の上縁部に固定され、他端辺（下端辺）側からロッド状巻芯に巻き取り可能とされている。該巻芯は、頂陵状の天頂部の棟方向に延在している。
【０００５】
なお、該巻芯は手動式のハンドル操作によって屋根上を転動するよう構成されている。
【０００６】
この天窓開閉装置においては、ハンドルを回転操作して該巻芯を天窓に沿って該天窓の低位側から高位側へ転動させることにより、シートが該巻芯に巻き取られて天窓が開放される。また、巻芯を天窓に沿って該高位側から低位側へ転動させることにより、シートがロッドから巻き出されて天窓が閉鎖される。
【特許文献１】特開平８−１７２９３３号公報
【発明の開示】
【発明が解決しようとする課題】
【０００７】
上記特開平８−１７２９３３号公報の天窓開閉装置にあっては、天窓を覆うシート上に掛かった雨水等の水が巻芯に堰き止められ、該シート上に水が溜まり易い。また、このように水が溜まることによりシートが破損し易くなるおそれもある。
【０００８】
本発明は、プラスチックフィルムハウスの屋根の天窓を覆蓋するシートを開閉して天窓を開閉する天窓開閉装置及びそのシートアッセンブリであって、該シート上の巻芯側に水が溜まることが防止される天窓開閉装置及びそのシートアッセンブリを提供することを目的とする。
【課題を解決するための手段】
【０００９】
請求項１のシートアッセンブリは、プラスチックフィルムハウスの屋根に設けられた天窓を覆蓋するシートと、該シートを巻き取るための巻芯とを有するシートアッセンブリにおいて、該シートと巻芯との接続部付近にシート上の水をシート下側に流し落すための通水部を設けたことを特徴とするものである。
【００１０】
請求項２のシートアッセンブリは、請求項１において、該巻芯とシートとはネット又は紐状体を介して連結されていることを特徴とするものである。
【００１１】
請求項３のシートアッセンブリは、請求項１において、該シートの該巻芯との接続部付近に水抜き用開口が設けられていることを特徴とするものである。
【００１２】
請求項４のプラスチックフィルムハウスの天窓開閉装置は、プラスチックフィルムハウスの下り勾配の屋根に設けられた天窓を開閉するための天窓開閉装置であって、該天窓開閉装置は、一側辺が該天窓の高位側に固定され、該天窓の低位側まで拡開する大きさを有しているシートと、該シートを該低位側から巻き取るための巻芯とを有するシートアッセンブリを備えてなる天窓開閉装置において、該シートアッセンブリは、請求項１ないし３のいずれか１項に記載のシートアッセンブリであることを特徴とするものである。
【発明の効果】
【００１３】
本発明の天窓開閉装置及びそのシートアッセンブリにあっては、シートは、上端辺が天窓の高位側に固定されると共に、下端辺が巻芯に連結されており、このシートが天窓を覆った状態において巻芯を天窓の低位側から高位側へ転がし上げると、該シートが下端辺側から巻芯に巻き取られて天窓が開放される。また、シートを巻き取った巻芯を天窓の高位側から低位側へ転がし落とすと、シートが該天窓から巻き出されて天窓を覆うようになり、天窓が閉鎖される。
【００１４】
本発明の天窓開閉装置及びシートアッセンブリによれば、シートが天窓を覆った状態においてこのシート上に水が掛った場合、この水は、通水部を通ってシートの下側へ流れ落ちる。そのため、シート上に水が溜まることが防止される。
【００１５】
なお、請求項２のシートアッセンブリでは、ネットの編目開口又は紐状体同士の間の間隙が通水部であり、請求項３のシートアッセンブリでは水抜き用開口が通水部である。
【発明を実施するための最良の形態】
【００１６】
以下に、図面を参照して本発明の実施の形態について説明する。
【００１７】
第１図は実施の形態に係るプラスチックフィルムハウスの天窓開閉装置１０を備えたプラスチックフィルムハウスの断面図であり、（ａ）図は天窓閉状態時を示し、（ｂ）図は天窓開状態時を示している。第２図はこの天窓開閉装置の斜視図である。第３図は別の実施の形態に係る天窓開閉装置の斜視図であり、第４図はさらに別の実施の形態に係る天窓開閉装置の斜視図である。第５図は、天窓開閉装置を備えていないビニルハウス（プラスチックフィルムハウス）と本発明の天窓開閉装置を備えたビニルハウスとについて内部の温度変化を測定した結果を示すグラフである。
【００１８】
第１図に示すように、この実施の形態では、プラスチックフィルムハウス１は、アーチ形のフレーム（パイプ）２を複数本所定の間隔にて立設し、これらのフレーム２を取り囲むように合成樹脂シート（プラスチックフィルム）４を張設してなるものである。なお、該合成樹脂シート４は、この実施の形態では、一般的なビニルハウスに用いられる塩化ビニル系樹脂シート又はポリオレフィン系樹脂シートであるが、これに限定されるものではない。該合成樹脂シート４は、要所が複数箇所において各フレーム２に対し固定具やバンド（いずれも図示略）により固定されている。
【００１９】
このプラスチックフィルムハウス１の頂陵状の屋根１ｒの天頂部１ｔよりも一半側に天窓（開口）６が形成されている。この実施の形態では、天窓６は、通気性を有する防虫ネット６ａにより覆われているが、この防虫ネットはなくてもよい。この天窓６がシート１２によって開閉される。このシート１２は、上辺が天窓６の高位側の辺縁に固定され、該天窓６の低位側へ拡開することにより該天窓６を覆蓋しうる大きさを有している。天窓（開口）６は、屋根の両側に設けてもよい。
【００２０】
なお、該シート１２は、この実施の形態では、プラスチックフィルムハウス１の外殻を構成する合成樹脂シート４と同様の材質よりなるものであるが、該合成樹脂シート４と異なっていてもよい。この実施の形態では、該シート１２の上辺は、天窓６の上縁付近の合成樹脂シート４に対し固定具を用いて、あるいは溶着や接着等により結合されているが、これに限定されるものではない。
【００２１】
天窓開閉装置１０は、このシート１２と、該シート１２をその下辺側から巻き取るための巻芯１４と、該シート１２の下辺と巻芯１４とを連結しているネット１６と、該巻芯１４を屋根１ｒに沿って天窓６の低位側から高位側並びに高位側から低位側へ転動させる巻芯転動装置（図示略）を備えている。
【００２２】
このシート１２と、ネット１６と、巻芯１６とによってシートアッセンブリが構成されている。
【００２３】
該巻芯１４は、屋根１ｒの棟方向と平行に略水平に延在する円柱状（棒状）又は円筒状のものである。この巻芯１４が屋根１ｒの上面に沿って天窓６の低位側から高位側へ転がり上がることにより、シート１２が巻芯１４に巻き取られ、天窓６が開放される。また、巻芯１４が屋根１ｒの上面に沿って天窓６の高位側から低位側へ転がり落ちることにより、シート１２が巻芯１４から巻き出され、天窓６がシート１２によって覆蓋される。
【００２４】
この巻芯１４の材質は特に限定されるものではないが、例えば鉄管等を用いることができる。また、この巻芯１４の直径は、シート１２の巻き取り及び巻き出しをスムーズに行うことができる大きさであればよく、特に限定されるものではないが、５〜５０ｍｍ程度であることが好ましい。
【００２５】
この実施の形態では、シート１２はネット１６を介して巻芯１４に連結されている。即ち、シート１２の下辺にネット１６の上辺が結合され、ネット１６の下辺が巻芯１４に結合されている。なお、この実施の形態では、ネット１６の上辺とシート１２の下辺、並びにネット１６の下辺と巻芯１４は、それぞれ、接着や溶着等により、あるいはパッカー（固定具）等を用いて結合されているが、これに限定されるものではない。該ネット１６は、この実施の形態では、シート１２の幅方向（棟方向）一端側から他端側まで連続して（即ち全幅にわたって）設けられているが、これに限定されるものではない。例えば、シート１２の幅方向の一部においてはシート１２の下辺を直接的に巻芯１４に結合するようにしてもよい。この場合、巻芯に直に連なるシート部分の、巻芯との接続部付近には水抜き用開孔を設けてもよい。
【００２６】
この実施の形態では、天窓６の上辺に沿う天頂部１ｔ付近に、ストッパ１８が突設されている。巻芯１４がシート１２を巻き取りながら該天窓６の高位側へ移動したときに、該巻芯１４が該ストッパ１８に当接して停止する。この実施の形態では、該ストッパ１８は、シート１２の上辺を天窓６の上縁部に固定する固定具と一体に設けられているが、該ストッパや固定具の構成はこれに限定されるものではない。また、天窓６の下辺に沿って、シート１２を巻き出しつつ該天窓６の低位側へ転がり落ちてきた巻芯１４に当接して該巻芯１４の移動を停止させるストッパが設けられてもよい。
【００２７】
巻芯転動装置は、例えば回転ハンドルなどの少なくとも巻芯１４に回転力を与える装置であればよく、任意の装置を用いることができる。好ましくは、温度感知又は降雨感知センサー付の巻芯転動装置と組合わせる。
【００２８】
かかる構成の天窓開閉装置１０の操作手順について次に説明する。
【００２９】
プラスチックフィルムハウス１内の温度を上昇させる場合、又は保温する場合には、シート１２が天窓６を覆った状態としておく。
【００３０】
ハウス１内の換気又は温度調節を行う場合には、巻芯転動装置を操作して巻芯１４を天窓６の高位側へ転動させ、巻芯１４でシート１２を巻き取る。これにより、天窓６が開放され、この天窓６を介してハウス１の内外の空気が流通し、ハウス１内の換気や温度調節が行われる。
【００３１】
天窓６を閉鎖する場合には、巻芯転動装置を操作して巻芯１４を天窓６の低位側へ転動させる。これにより、シート１２が巻芯１４から巻き出されて天窓６を覆い、天窓６が閉鎖される。
【００３２】
この天窓開閉装置１０にあっては、シート１２の下辺はネット１６を介して巻芯１４に連結されている。そのため、シート１２が天窓６を覆った状態において、シート１２上に雨等の水が掛った場合、この水は、シート１２の下辺側において巻芯１４により堰き止められることなく、ネット１６の網目を通ってシート１２の下側へ流れ落ちる。従って、シート１２上に水が溜まることが防止される。また、ネットを使用することにより、シートに水抜き用開孔を設ける場合に比べ、シート強度を低下することがないため、好ましい。
【００３３】
上記の実施の形態では、シート１２と巻芯１４とをネット１６を介して連結しているが、ネット１６の代わりに紐状体でシート１２と巻芯１４とを接続してもよく、ネット１６と紐状体とを併用してもよい。
【００３４】
第３図及び第４図はそれぞれ本発明の別の実施の形態に係る天窓開閉装置１０Ａ，１０Ｂ及びそのシートアッセンブリを示す斜視図である。
【００３５】
この天窓開閉装置１０Ａ，１０Ｂにおいては、それぞれ、シート１２は下辺が巻芯１４に対し直接的に連結されており、このシート１２の下辺付近に、水抜き用開口として、該シート１２を貫通する多数の小孔２０（第３図）又はスリット２２（第４図）が設けられている。
【００３６】
この天窓開閉装置１０Ａ，１０Ｂにあっても、それぞれ、シート１２が天窓６を覆った状態においてこのシート１２上を雨水等の水が掛った場合、この水は、小孔２０又はスリット２２を介してシート１２の下側へ流れ落ちるので、シート１２上に水が溜まることが防止される。
【００３７】
なお、水抜き用開口は、図示の形状に限定されるものではない。
【００３８】
天窓開閉装置のないビニルハウスと本発明の天窓開閉装置を設けたビニルハウス（天窓開放状態）とについて、内部の気温の経時変化を測定した結果の一例を第５図に示す。
【００３９】
このビニルハウスの諸元は次の通りである。  
建屋面積    ：３２．４ｍ２
長手方向長さ：９ｍ
短手方向長さ：３．６ｍ
天頂部高さ  ：２．３ｍ
天窓開口面積：５．０４ｍ２
【００４０】
第５図の通り、天窓を開放しておくことにより、ビニルハウス内の気温上昇が緩和される。
【図面の簡単な説明】
【００４１】
【図１】実施の形態に係るプラスチックフィルムハウスの天窓開閉装置を備えたプラスチックフィルムハウスの断面図であり、（ａ）図は天窓閉状態時を示し、（ｂ）図は天窓開状態時を示している。
【図２】図１の天窓開閉装置の斜視図である。
【図３】別の実施の形態に係る天窓開閉装置の斜視図である。
【図４】さらに別の実施の形態に係る天窓開閉装置の斜視図である。
【図５】天窓開閉装置を備えていないビニルハウス（プラスチックフィルムハウス）と本発明の天窓開閉装置を備えたビニルハウスとについて内部の温度変化を測定した結果を示すグラフである。
【符号の説明】
【００４２】
１  プラスチックフィルムハウス
１ｒ  屋根
６  天窓
１０，１０Ａ，１０Ｂ  天窓開閉装置
１２  シート
１４  巻芯
１６  ネット
２０  小孔
２２  スリット
【図１】
2006061018.tif 000003
【図２】
2006061018.tif 000004
【図３】
2006061018.tif 000005
【図４】
2006061018.tif 000006
【図５】
2006061018.tif 000007